(57)【要約】【課題】文書（書面）の機密性向上、真正性（原本性）の保証および改竄の防止を図った文書真正性保護装置を提供する。【解決手段】文書受入口３ａから受入した文書を搬送路３ｃによりスタックトレイ９へ搬送する文書搬送装置３と、文書の秘匿すべき情報の記載部上に掩蔽シールを貼付する掩蔽シール貼付装置４と、この掩蔽シールの貼付異常を検出する掩蔽シール異常検出センサ１８と、文書の所要部位に、文書の真正性を示すホログラムを貼付するホログラム貼付装置３ｄと、このホログラムの貼付異常を検出するホログラム異常検出センサ１９と、搬送路を文書収容室からエラー文書収容室へ可逆的に切り換える切換ゲート８と、掩蔽シール貼付異常検出手段からの異常検出信号とホログラム異常検出手段からの異常検出信号の少なくとも一方を受けたときに、切換ゲートにより搬送路をリジェクトトレイ１０へ連通させるように制御する制御装置１１と、を具備している。【選択図】  図１
2008260189.tif 000002
【特許請求の範囲】
【請求項１】
文書受入口から受入した文書を搬送路により文書収容室へ搬送する文書搬送装置と、
前記文書の搬送途中にて前記文書の秘匿すべき情報の記載部上に掩蔽シールを貼付する掩蔽シール貼付装置と、
この掩蔽シールの貼付異常を検出する掩蔽シール異常検出手段と、
前記文書の搬送途中にて前記文書の所要部位に、文書の真正性を示すホログラムを貼付するホログラム貼付装置と、
このホログラムの貼付異常を検出するホログラム異常検出手段と、
前記搬送路を前記文書収容室からエラー文書収容室へ可逆的に切り換える搬送路切換装置と、
前記掩蔽シール貼付異常検出手段からの異常検出信号と前記ホログラム異常検出視手段からの異常検出信号の少なくとも一方を受けたときに、前記搬送路切換装置により前記搬送路を前記エラー文書収容室へ連通させるように制御する制御手段と、
を具備していることを特徴とする文書真正性保護装置。
【請求項２】
前記文書搬送装置は、その文書受入口を、文書作成機のプリンタの文書排出口に直結していることを特徴とする請求項１記載の文書真正性保護装置。
【請求項３】
前記ホログラム貼付装置に代えて、または共に、前記文書に、文書の真正性を示す不可視インクにより印刷する不可視インク印刷装置と、この不可視インクの印刷の異常を検出する不可視インク印刷異常検出手段と、を具備し、
前記制御手段は、前記掩蔽シール貼付異常検出手段から掩蔽シール貼付異常検出信号を受けたときに、前記搬送路を前記エラー文書収容室へ連通させるように前記搬送路切換装置を制御するように構成されていることを特徴とする請求項１または２記載の文書真正性保護装置。
【請求項４】
前記ホログラム貼付装置に代えて、または共に、前記文書収容室へ搬入される文書に、文書の真正性を示すエンボス加工を施すエンボス加工装置を具備していることを特徴とする請求項１または２記載の文書真正性保護装置。
【請求項５】
前記エラー文書収容室へ搬入される文書に再使用禁止処理を施すエラー文書再使用禁止処理装置を具備していることを特徴とする請求項１〜４のいずれか１項記載の文書真正性保護装置。
【請求項６】
前記搬送路における前記文書の送り異常を検出する紙送り異常検出手段を有し、
前記制御手段は、この紙送り異常検出信号を受けたときに、前記搬送路を前記エラー文書収容室へ連通させるように前記搬送路切換装置を制御するように構成されていることを特徴とする請求項１〜５のいずれか１項記載の文書真正性保護装置。
【請求項７】
前記搬送路の文書受入口、文書収容室入口およびエラー文書収容室入口にて文書の枚数をそれぞれ計数するカウントセンサを具備していることを特徴とする請求項１〜６のいずれか１項記載の文書真正性保護装置。
【発明の詳細な説明】
【技術分野】
【０００１】
本発明は、公文書や私文書等、文書（書面）の改竄防止や真正性の証明を図った文書真正性保護装置に関する。
【背景技術】
【０００２】
近年、高度情報化の進展に伴って電子政府や電子自治体の拡充が図られている。そのために、土地登記簿やパスポート等、各種証明書等の公文書や各種契約書等の私文書の改竄防止や真正性や原本性の保証、機密事項の秘匿等が重要な課題となっている。
【０００３】
従来、文書の真正性ないし原本性を保証するための方法としては、例えば官公庁の公文書では、コピー機によりコピーすると、「複製」等の複写防止スタンプパターンと称される複写防止模様が表われる地紋紙等特殊用紙を使用している。
【０００４】
そして、官公庁等では、インターネット上の個人情報等重要な情報のアクセスについては、本人のみがアクセスできるように、例えばＩＤ番号を発行している。
【０００５】
このＩＤ番号は他人に知られてしまうと、他人が本人になりすまして本人の個人情報等にアクセスされてしまう虞がある。
【０００６】
そこで、従来からＩＤ情報等機密情報を本人に通知する場合は、その通知書中、秘密情報を記載した記載部上に、秘匿ラベルを貼付した親展はがきが知られている（例えば、特許文献１，２参照）。この親展はがきは、はがきの秘密事項記載部上に、秘匿ラベルが一体的に貼着されて秘密事項を目視不能にする一方、この秘匿ラベルをはがきから一旦剥がすと、２度と貼着できないようになっている。
【０００７】
このために、秘匿ラベルがはがきから剥がされている場合には、秘密事項が漏洩していることを知ることができる。
【特許文献１】特開平７−１０１１８３号公報
【特許文献２】特開平１１−３２４２５６号公報
【発明の開示】
【発明が解決しようとする課題】
【０００８】
しかしながら、上記従来例のように文書の真正性を保証するために地紋紙を使用する場合には、近年の高性能のコピー機やスキャナを使用することにより、複写防止模様が表われないように複写することより、容易に複製を作成することができる、という課題がある。
【０００９】
また、文書の用紙として地紋紙等特殊用紙を使用する場合には、その使用枚数やエラー枚数、盗難等、枚数管理の負担が大きいという課題もある。
【００１０】
さらに、従来の親展はがきは、はがきに限定されており、封書には適用することかぎできない、という課題がある。
【００１１】
さらに、この親展はがきでは、秘匿情報を記載または印字してから秘匿ラベルを貼付して秘匿するまでの間に、その秘匿情報をはがき発信者側の内部の者に知られてしまう虞がある。
【００１２】
本発明は、このような事情を考慮してなされたもので、その目的は、文書（書面）の機密性向上、真正性（原本性）の保証および改竄の防止を図った文書真正性保護装置を提供することにある。
【課題を解決するための手段】
【００１３】
請求項１に係る発明は、文書受入口から受入した文書を搬送路により文書収容室へ搬送する文書搬送装置と、前記文書の搬送途中にて前記文書の秘匿すべき情報の記載部上に掩蔽シールを貼付する掩蔽シール貼付装置と、この掩蔽シールの貼付異常を検出する掩蔽シール異常検出手段と、前記文書の搬送途中にて前記文書の所要部位に、文書の真正性を示すホログラムを貼付するホログラム貼付装置と、このホログラムの貼付異常を検出するホログラム異常検出手段と、前記搬送路を前記文書収容室からエラー文書収容室へ可逆的に切り換える搬送路切換装置と、前記掩蔽シール貼付異常検出手段からの異常検出信号と前記ホログラム異常検出視手段からの異常検出信号の少なくとも一方を受けたときに、前記搬送路切換装置により前記搬送路を前記エラー文書収容室へ連通させるように制御する制御手段と、を具備していることを特徴とする文書真正性保護装置である。
【００１４】
請求項２に係る発明は、前記文書搬送装置は、その文書受入口を、文書作成機のプリンタの文書排出口に直結していることを特徴とする請求項１記載の文書真正性保護装置である。
【００１５】
請求項３に係る発明は、前記ホログラム貼付装置に代えて、または共に、前記文書に、文書の真正性を示す不可視インクにより印刷する不可視インク印刷装置と、この不可視インクの印刷の異常を検出する不可視インク印刷異常検出手段と、を具備し、前記制御手段は、前記掩蔽シール貼付異常検出手段から掩蔽シール貼付異常検出信号を受けたときに、前記搬送路を前記エラー文書収容室へ連通させるように前記搬送路切換装置を制御するように構成されていることを特徴とする請求項１または２記載の文書真正性保護装置である。
【００１６】
請求項４に係る発明は、前記ホログラム貼付装置に代えて、または共に、前記文書収容室へ搬入される文書に、文書の真正性を示すエンボス加工を施すエンボス加工装置を具備していることを特徴とする請求項１または２記載の文書真正性保護装置である。
【００１７】
請求項５に係る発明は、前記エラー文書収容室へ搬入される文書に再使用禁止処理を施すエラー文書再使用禁止処理装置を具備していることを特徴とする請求項１〜４のいずれか１項記載の文書真正性保護装置である。
【００１８】
請求項６に係る発明は、前記搬送路における前記文書の送り異常を検出する紙送り異常検出手段を有し、前記制御手段は、この紙送り異常検出信号を受けたときに、前記搬送路を前記エラー文書収容室へ連通させるように前記搬送路切換装置を制御するように構成されていることを特徴とする請求項１〜５のいずれか１項記載の文書真正性保護装置である。
【００１９】
請求項７に係る発明は、前記搬送路の文書受入口、文書収容室入口およびエラー文書収容室入口にて文書の枚数をそれぞれ計数するカウントセンサを具備していることを特徴とする請求項１〜６のいずれか１項記載の文書真正性保護装置である。
【発明の効果】
【００２０】
請求項１に係る文書真正性保護装置によれば、文書（書面）の秘匿すべき情報の記載部上に、掩蔽シールを貼付するので、この秘匿情報を秘匿することができる。このために、文書の機密性を向上させることができる。
【００２１】
また、文書には、真正性（原本性）を示すホログラムを貼付しているので、このホログラムの有無により、文書の真正性を簡単かつ迅速に確認することができる。
【００２２】
そして、これら掩蔽シールまたはホログラムの貼付異常が検出されたときは、エラー文書としてエラー文書収容室へ搬送収容されるので、文書収容室へ搬送収容される正規の文書とは、簡単に区別することができる。
【００２３】
そして、その結果、エラー文書を廃棄して正規文書のみを使用することができる。このエラー文書は地紋紙等特殊紙ではなく、普通紙であるので、コストも安い。
【００２４】
請求項２に係る発明によれば、文書搬送装置の文書受入口に、コンピュータ等よりなる文書作成機のプリンタの文書排出口を直結しているので、この文書作成機により作成されて文書のプリンタ排出口から排出された文書を、文書作成側の内部の者を含む第三者の目に晒すことなく、直接、文書真正性保護装置の文書受入口に排出することができる。
【００２５】
このために、さらなる文書の機密性の向上と改竄防止を共に図ることができる。
【００２６】
請求項３に係る発明によれば、文書に、ホログラムに代えて、または共に、文書の真正性を示す不可視インクにより印刷するので、この不可視インクによる印刷部は、可視光では目視できないが、例えば紫外線（ＵＶ）を照射することにより目視することができる。
【００２７】
したがって、文書にＵＶを照射し、不可視インクによる印刷部を目視することにより、文書の真正性を簡単かつ確実に確認することができる。また、文書の不可視インク印刷部異常が検出されると、この文書の搬送路が搬送路切換装置によりエラー文書収容室側へ切り換えられて、このエラー文書収容室へ収容される。
【００２８】
このために、不可視インク印刷部に異常のある文書を真正文書から事前に排除することができる。
【００２９】
請求項４に係る発明によれば、文書のエンボス加工部の有無によっても、文書の真正性を簡単かつ確実に確認することができる。
【００３０】
請求項５に係る発明によれば、エラー文書には、穿孔装置等、エラー文書再使用禁止処理装置により再使用禁止処理が施されるので、エラー文書の再使用を禁止することができる。
【００３１】
請求項６に係る発明によれば、複数文書の部分的な重なりや斜行等、文書の紙送り異常が検出された場合は、掩蔽シールやホログラムの貼付異常、あるいは不可視インク印刷の異常、またはエンボス加工の異常等が発生する可能性が高いので、これら文書の搬送路はエラー文書収容室側へ切り換えられ、このエラー文書収容室へ収容される。
【００３２】
したがって、これらエラー文書を真正文書から事前に区別し排除することができる。
【００３３】
請求項７に係る発明によれば、文書搬送路の文書受入口、文書収容室入口およびエラー文書収容入口にて文書の枚数がカウントセンサによりそれぞれ計数されるので、文書作成機から文書真正性保護装置により受入された文書の受入枚数、正規文書とエラー文書の各枚数をカウントし、枚数管理を簡単に行うことができる。
【発明を実施するための最良の形態】
【００３４】
以下、本発明の実施形態を複数の添付図面に基づいて説明する。なお、これら複数の添付図面中、同一または相当部分には同一符号を付している。
【００３５】
図１は本発明の一実施形態に係る文書真正性保護装置１の平面模式図、図２は同文書真正性保護装置１の電気的構成を示すブロック図である。
【００３６】
図１に示すように文書真正性保護装置１は、所要形状のケーシング２内に、文書搬送装置３、掩蔽シール貼付装置４、ホログラム貼付装置５、不可視インク印刷装置の一例であるＵＶ（紫外線）プリンタ６、エンボス加工装置７、搬送路切換装置の一例である切換ゲート８、文書収容室の一例であるスタックトレイ９、エラー文書収容室の一例であるリジェクトトレイ１０、エラー文書再使用禁止処理装置２１、制御手段の一例である制御装置１１を配設している。
【００３７】
文書搬送装置３は、文書受入口３ａと文書収容室の一部であるスタックトレイ３ｂの入口端とを接続する搬送路３ｃと、この搬送路３ｃにより文書を、その長手方向または短手方向に沿って文書受入口３ａからスタックトレイ３ｂまで所定速度で搬送するために搬送路３ｃの長手方向に所要の間隔を置いて配設された複数対の搬送ローラ３ｄ，３ｄ，３ｄ，…と、を具備している。
【００３８】
これら搬送ローラ３ｄ，３ｄ，…は、文書の搬送方向に回転する複数の駆動ローラと、これら駆動ローラに対してそれぞれ搬送路の幅方向反対側に配設されて、これら駆動ローラに弾性的に外接し駆動ローラ側に文書を押圧して挟持する従動ローラと、をそれぞれ具備している。
【００３９】
上記文書受入口３ａは、プリンタ１２の文書排出口１２ａに図示しないジョイント部を介して直結され、プリンタ１２により印刷された文書を直接受入するようになっている。プリンタ１２は文書作成機の一例であるＰＣ（パーソナルコンピュータ）１３に信号線１４を介して接続され、このＰＣ１２により作成された電子文書を紙に印刷するプリンタである。ＰＣ１３は、官公庁の各種証明書等種々の公文書や、契約書や入門証等種々の私文書を電子的に作成する文書（書面）作成機である。ＰＣ１３は信号線１４を介して文書真正性保護装置１の制御装置１１に電気的に接続され、プリンタ１２から出力される文書の用紙の寸法に基づく種類（Ａ４，Ａ５，Ｂ４，Ｂ５等）や文書の種類（各種証明書や契約書等）等、文書の加工に必要なデータを制御装置１１に適宜与える。
【００４０】
そして、文書真正性保護装置１は、文書受入口３ａと掩蔽シール貼付装置４との間の搬送路３ｃの近傍にて、文書の搬送方向上流側から下流側に向けて、受入センサ１５、紙送り異常検出センサ１６、掩蔽シール貼付位置マーク検出センサ１７をそれぞれ配設している。
【００４１】
さらに、搬送路３ｃの近傍には、掩蔽シール貼付装置４の下流側にて、掩蔽シール貼付異常検出センサ１８を、ホログラム貼付装置５の下流側にて、ホログラム貼付異常検出センサ１９を、ＵＶプリンタ６の下流側にて、ＵＶプリント異常検出センサ２０を、エンボス加工装置７の下流側にて、エンボス加工異常検出センサ２１を、切換ゲート８の下流側であってスタックトレイ９の入口にて正規文書センサ２２を、同リジェクトトレイ１０の入口にてエラー文書センサ２３を、それぞれ配設している。
【００４２】
これらセンサ１５〜２３は、図示しない信号線を介して制御装置１１にそれぞれ電気的に接続され、各々の検出手段にそれぞれ構成されている。
【００４３】
すなわち、制御装置１１は周知のマイクロプロセッサであり、基本的にはＣＰＵ，ＲＡＭ，ＲＯＭより構成されている。ＲＯＭにはＣＰＵを制御するプログラムが書き込まれており、ＣＰＵはこの制御プログラムに従ってインプットポートから上記各センサ１５〜２３から検出信号を読み込み、ＰＣ１３から所要のデータを取り込み、あるいはまたＲＡＭとの間でデータの授受を行なったりしながら演算処理し、必要に応じて処理したデータをアウトプットへ出力する。
【００４４】
すなわち、受入センサ１５は、例えば反射型光センサであって、プリンタ１２の排出口１２ａから文書受入口３ａ内に順次受入された複数の文書に所要光を照射する一方、その反射光を検出し、その検出信号を制御装置１１に順次与える。制御装置１１はこの検出信号に基づいて文書の受入枚数をカウントし、ＲＡＭに記録する。
【００４５】
紙送り異常検出センサ１６は、例えば用紙搬送路３ｃの幅方向両側において、ＬＥＤ（発光ダイオード）等の発光素子と、ホトダイオード等の受光素子とを一対として対向配置すると共に、これらの複数対を、文書の短手方向に並設しており、文書が斜めのまま搬送される斜行、複数枚の文書が重なって搬送される重送、順次搬送される用紙同士が所要値よりも狭い間隔で搬送される連鎖、対象以外の用紙が搬送される紙長異常等の紙送り異常を検出する分離型光センサである。
【００４６】
この紙送り異常検出センサ１６の受光素子により検出された受光パターンは、制御装置１１のＣＰＵにより読み込まれる。ＣＰＵは、ＲＡＭに予め記録されている、文書の斜行、二重、連鎖、紙長異常等の紙送り異常の種々の受光パターンを、このＲＡＭから読み出し、検出受光パターンと比較することにより、紙送りの異常を検出し、切換ゲート８をリジェクトトレイ１０側へ切り換える制御信号を切換ゲート８のソレノイドに与える。
【００４７】
掩蔽シール貼付位置マーク検出センサ１７は反射型光センサから構成され、文書に照射した光の反射光に基づいて、掩蔽シールの貼付すべき位置を示すために文書に予め付加されたマークを検出したときに、そのマーク検出信号を制御装置１１に与える。
【００４８】
制御装置１１は、その位置マーク検出信号を読み込んだときに、文書の秘匿情報記載部上に掩蔽シールを貼付すべき位置に、掩蔽シールを貼付するタイミングを文書の搬送速度から算出して駆動信号を掩蔽シール貼付装置４に与える。但し、制御装置１１は、受入センサ１５により受入文書の受入始端を検出させ、その受入始端から掩蔽シール貼付位置までを文書搬送速度に基づいて算出させることにより、掩蔽シール貼付位置を検出するように構成してもよい。掩蔽シール貼付装置４は、制御装置１１からの駆動信号を受ける都度、所定長の掩蔽シールを文書の所定位置に順次、間欠的に貼付する。
【００４９】
掩蔽シールは、所定長の透明なシートの一面上に、ほぼ同長の遮光シートを剥離可能に接着させた２層シートから構成され、透明シールの他面には接着力が強力な接着剤が塗布されている。すなわち、遮光シートは、透明シートから容易に剥離され、透明シートを通して文書の秘匿情報記載部を透視できる。しかし、一旦、遮光シートを透明シートから剥離した後は、この遮光シートを透明シートに再度接着することができないようになっており、透明シートは文書に一旦接着されると、剥離できないようになっている。
【００５０】
掩蔽シール貼付装置４は、このように構成された複数の掩蔽シールを剥離紙に剥離可能に接着したロール紙を引出し可能に支持し収容する収容部と、駆動信号に応じて、このロール紙を引き出し、掩蔽シールを１枚ずつ剥離紙から剥離し、掩蔽シールの透明シール側を、搬送路３ｃ上に順次搬送されてくる複数枚の文書の所定位置、つまり秘匿情報記載部上に、１枚ずつ順次貼着する貼着装置と、を具備している。
【００５１】
また、掩蔽シール貼付装置４は、掩蔽シールロール紙の終端近傍を検出する掩蔽シールニアエンドセンサ（図示省略）を具備しており、この掩蔽シールニアエンドセンサの検出信号は制御装置１１に与えられ、掩蔽シールの終了が近い状態を検出するようになっている。
【００５２】
掩蔽シール貼付異常検出センサ１８は、文書の掩蔽シール貼付位置に光を照射して、その反射光を検出し、その検出信号を制御装置１１に与える。この制御装置１１は、その検出信号に基づいて掩蔽シールの貼付無しやその貼付位置のずれを検出するようになっている。
【００５３】
この掩蔽シール貼付異常が検出されたときは、制御装置１１から切換信号が切換ゲート８の図示しないソレノイドに与えられ、この切換ゲート８を、搬送路３ｃの終端部がスタックトレイ９側からリジェクトトレイ１０側に接続するように切り換える。
【００５４】
ホログラム貼付装置５は、掩蔽シール貼付装置４の下流側に配設され、搬送路３ｃ上で順次搬送されている文書の所定位置に、所要の図形や記号、文字等のマークを表示した所要大のホログラムを順次貼着するものである。このホログラム貼付位置の検出は、掩蔽シール貼付位置とマークと同様に、その貼付位置を示すマークを文書に予め形成し、このマークを光センサと制御装置１１により検出するように構成してもよい。または、検出済の掩蔽シール貼付位置と文書の搬送速度に基づいてホログラム貼付位置を制御装置１１により算出してもよい。
【００５５】
そして、ホログラムは、その一面に接着剤が塗布され、この接着面がロール状の剥離紙上に、長手方向に所要の間隔を置いて剥離可能に複数貼着されている。ホログラムの接着剤は剥離紙には剥離可能に接着されるが、紙の文書に一旦接着されると、容易に剥離できず、無理に剥がそうとすると、ホログラム自体が破損するようになっている。
【００５６】
このホログラム貼付装置５もホログラムロール紙を引出し可能に支持する収容室と、制御装置１１からの駆動信号を受けてホログラムを文書の所定位置に順次貼着する貼着装置と、を具備している。また、このホログラムロール紙の終端近傍を検出するホログラムニアエンドセンサ（図示省略）を具備しており、このホログラムニアエンドセンサの検出信号は制御装置１１に与えられて、ホログラムシールの終端が近い状態を検出する。
【００５７】
ホログラム貼付異常検出センサ１９は、文書のホログラム貼付済位置に光を照射して、その反射光を検出し、その検出信号を制御装置１１に与える。この制御装置１１は、その検出信号に基づいてホログラム貼付無しやその貼付位置のずれを検出するようになっている。
【００５８】
このホログラム貼付異常が検出されたときは、制御装置１１から切換信号が切換ゲート８の図示しないソレノイドに与えられ、この切換ゲート８を、搬送路３ｃの終端部がスタックトレイ９側からリジェクトトレイ１０側に接続するように切り換える。
【００５９】
ＵＶプリンタ６は、ホログラム貼付装置５の下流側に配設され、搬送路３ｃ上で順次搬送される文書の所定位置に、可視光線下では目視できないが、ＵＶ（紫外線）光下では目視が可能なＵＶインクにより所要の図形や記号、文字等のマークを印刷するインクジェットプリンタ等のプリンタである。
【００６０】
したがって、可視光線下では、このＵＶインクのマークを目視できないが、ＵＶ光を照射することにより目視し、文書の真正性を確認できる。ＵＶインク印刷位置は、予め文書に付加した所要のマークを光センサにより読み込むことにより検出する。または、検出済の掩蔽シールやホログラム貼付位置と文書搬送速度に基づいて制御装置１１により算出し、制御装置１１からの駆動信号によりＵＶプリンタ６を駆動して印刷させてもよい。
【００６１】
ＵＶプリント異常検出センサ２０は、文書のＵＶインク印刷位置にＵＶ（紫外線）光を照射し、その反射光を検出し、その検出信号を制御装置１１に与える。この制御装置１１は、その検出信号に基づいてＵＶインク印刷無しやその印刷位置のずれを検出するようになっている。
【００６２】
このＵＶプリント異常が検出されたときは、制御装置１１から切換信号が切換ゲート８の図示しないソレノイドに与えられ、この切換ゲート８をスタックトレイ９側からリジェクトトレイ１０側に切り換えられる。
【００６３】
切換ゲート８は、図示しない駆動装置であるソレノイドにより搬送路３ｃを、スタックトレイ９側とレジェクトトレイ１０側とに選択的に切り換えるように構成されており、制御装置１１からソレノイドに切換信号が入力されるときに、スタックトレイ９側からリジェクトトレイ１０側に切り換えられ、常時はスタックトレイ９側に接続されている。
【００６４】
正規文書センサ２２は、搬送路３ｃからスタックトレイ９側へ排出される文書に光を照射して、その反射光を検出し、その検出信号を制御装置１１に与える。制御装置１１は、その検出信号に基づいて、その文書の枚数を正規文書としてカウントする。
【００６５】
エラー文書センサ２３は、搬送路３ｃからリジェクトトレイ１０側へ搬出される文書に光を照射して、その反射光を検出し、その検出信号を制御装置１１に与える。制御装置１１は、その検出信号に基づいて、その文書の枚数をエラー文書としてカウントする。これら、正規文書、エラー文書の枚数と、上記掩蔽シールおよびホログラムの貼付異常、ＵＶ印刷とエンボス加工の異常は、制御装置１１のＲＡＭ１１ｃに記録される。
【００６６】
エラー文書再使用禁止処理装置２１は、エラー文書センサ２３の下流側に配設され、エラー文書に所要の穿孔列を形成して再使用を禁止するものである。すなわち、エラー文書再使用禁止処理装置２１は、金属製の駆動ローラと、この駆動ローラに外接する従動ローラとを有し、駆動ローラの外周側に、穴明け用の所要形状の突起を複数形成し、これら駆動側と従動側のローラにより文書を挟持して搬送することにより、同時に所要長の穿孔列を文書に形成するものである。但し、エラー文書の再使用を禁止し得る加工であれば、「再使用禁止」や「エラー文書」等の文字を単に印刷するもの等でもよい。
【００６７】
エンボス加工装置７は、切換ゲート８の下流側とスタックトレイ９の入口との間の搬送路３ｃに配設され、この正規文書側の搬送路３ｃ上で順次搬送される文書の所定位置に、所要の図形や記号、文字等の文書の真正性を示すマークを刻み印字する。
【００６８】
エンボス加工装置７は、図示しない所要のエンボスマークを刻印したエンボスローラと、これに外接して回動させる駆動ローラと、この駆動ローラのホームポジションを検出して常にエンボスマークを始端から終端まで印字させるエンボスホームポジションセンサ（図示せず）を具備している。
【００６９】
また、このエンボス加工装置７は、上記掩蔽シール貼付装置４の検出方法と同様、文書に予め形成した位置マークを光センサにより検出し、または検出済の掩蔽シール貼付位置と文書の搬送速度に基づいて制御装置１１により検出するように構成してもよい。
【００７０】
図２はこの文書真正性保護装置１の電気的構成を示すブロック図である。文書真正性保護装置１はＣＰＵ１１ａ，ＲＯＭ１１ｂ，ＲＡＭ１１ｃを具備したマイクロプロセッサである制御装置１１の入出力回路２４に、上記各種センサ１５〜２３を接続している。ＣＰＵ１１ａは、ＲＯＭ１１ｂの制御プログラムに従って入出力回路２４から必要とされるセンサ１５〜２３から検出信号を読み込み、またはＲＡＭ１１ｃとの間でデータの授受をしながら演算処理し、必要に応じてデータや制御信号を入出力回路２４へ出力する。
【００７１】
図２に示すように入出力回路２４には、インターロックスイッチ２５に連動してオンまたはオフする保護リレー２６を介して電源装置２７が接続されている。インターロックスイッチ２５は、図１で示すケーシング２の図示しない正面扉，側面扉，スタックトレイ９の開閉カバー、リジェクトトレイ１０の開閉カバーが開扉中であるときに、電源スイッチ２９がオンされたときに動作して保護リレー２６をオフ動作させ、保護リレー２６からの給電を遮断するようになっている。
【００７２】
電源装置２７は、ＡＣ電源コード２８を通して供給される例えば商用ＡＣ電源をオンオフ制御する電源スイッチ２９を備えており、商用ＡＣ電源を例えば２４Ｖの直流に整流する整流装置を備えている。また、電源装置２７は、その出力のＤＣ２４Ｖを例えばＤＣ５Ｖに降圧するＤＣ−ＤＣレギュレータ等の電源回路３０を具備している。
【００７３】
電源装置２７の出力（例えば＋２４Ｖ）はモータ等駆動系に給電され、電源回路３０の出力（例えばＤＣ＋５Ｖ）は各種センサ１５〜２３や制御系に給電される。
【００７４】
すなわち、電源装置２７は、そのＤＣ出力側を、保護リレー２６をそれぞれ介して、第１駆動回路３１、第２駆動回路３２、ソレノイド駆動回路３３にそれぞれ接続して、例えばＤＣ２４Ｖを給電している。第１駆動回路３１は、文書搬送装置３の駆動ローラを駆動する文書搬送モータ３ｍ、掩蔽シール貼付装置の駆動ローラを駆動する掩蔽シール搬送モータ４ｍ、ホログラム貼付装置５の駆動モータ５ｍに接続され、これらＤＣモータ３ｍ，４ｍ，５ｍの駆動をマイクロプロセッサ１１からの制御信号に応じてオンオフ制御するようになっている。
【００７５】
第２駆動回路３２は、ＵＶプリンタ６の駆動モータ６ｍと、エンボス加工装置７の駆動モータ７ｍと、エラー文書再使用禁止処理装置２１の駆動モータ２１ｍに接続され、これらＤＣモータ５ｍ，７ｍ，２１ｍの駆動をマイクロプロセッサ１１からの制御信号に応じてオンオフ制御するものである。
【００７６】
ソレノイド駆動回路３３は、マイクロプロセッサ１１からの制御信号に応じて切換ゲート８をスタックトレイ９側またはリジェクトトレイ１０側へ可逆的に切換操作するゲートソレノイド８ｓを駆動するものである。
【００７７】
また、入出力回路２４は、ＬＣＤインタフェース３４を介してＬＣＤ（液晶表示ディスプレイ）３５に接続され、さらに、エラー解除スイッチ／照光ランプ３６、ＬＥＤ（発光ダイオード）点灯回路３７および所要桁の７セグメント等の数字表示ＬＥＤ３８に接続されている。
【００７８】
数字表示ＬＥＤ３８は、掩蔽シール貼付装置４、ホログラム貼付装置５、ＵＶプリンタ６、エンボス加工装置７のメンテナンス時に使用する表示である。すなわち、マイクロプロセッサ１１が具備している自己セルフチェック機能を実行したときに、そのセルフチェックモードの種類を数字やセグメントの点灯箇所により表示し、その動作状態を「０」や「１」等により表示するものである。
【００７９】
ＬＣＤ３５は、ユーザに文書真正性保護装置１の運転状態等の情報を表示する。また、通常状態では、文書の受入枚数と、スタックトレイ９側とリジェクトトレイ１０側へそれぞれ搬送された正規文書とリジェクト紙の枚数を表示する。各種装置４〜７の異常発生時には、その異常内容を状態コード等により表示する。
【００８０】
エラー解除スイッチ／照光ランプ３６は、エラー解除スイッチ自体が照光ランプにより発光ないし点滅するようになっており、文書真正性保護装置１に、文書のジャム等異常が発生したときに、例えば赤色の照光ランプが点滅してユーザに異常が発生したことを知らせる。
【００８１】
次に、この文書真正性保護装置１の作用を説明する。
【００８２】
まず、この文書真正性保護装置１の図２で示す電源スイッチ２９をＯＮに投入すると、商用ＡＣ電源が電源装置２７に給電され、ここで所要電圧（例えば２４Ｖ）のＤＣ（直流）に整流される。このＤＣ電力は、保護リレー２６と第１，第２の駆動回路３１，３２を経て文書搬送装置３，掩蔽シール貼付装置４、ホログラム貼付装置５、ＵＶプリンタ６、エンボス加工装置７、エラー文書再使用禁止処理装置２１用等のＤＣモータ３ｍ，４ｍ，５ｍ，６ｍ，７ｍ，２１ｍ等の駆動系に給電される。
【００８３】
また、このＤＣ電力は電源回路３０に給電され、ここで例えば５Ｖ等所要電圧の低電圧に降圧され、制御装置１１のマイクロプロセッサや各種センサ１５〜２３等の制御系に給電される。
【００８４】
このような電源スイッチ２９のＯＮ投入時に、仮に、ケーシング２の図示しない正面扉や側面扉、スタックトレイ９やリジェクトトレイ１０の開閉カバーのいずれかが開扉中であるときは、これらの状態を検出するインターロックスイッチ２５がオンして保護リレー２６を動作させて保護リレー２０からの給電を遮断して文書真正性保護装置１の運転を強制的に停止させる。
【００８５】
また、インターロックスイッチ２５のオン信号はマイクロプロセッサ１１により読み込まれ、プリンタ停止信号Ｓがプリンタ１２に与えられ、プリンタ１２の運転を停止させる。
【００８６】
これら停止条件が解除されると、文書真正性保護装置１の給電が再開され、プリンタ１２の運転が開始される。
【００８７】
そこで、パーソナルコンピュータ（ＰＣ）１３により所要の文書を順次電子的に作成し、秘匿情報記載部に秘匿情報を記入してプリントアウトする。すると、このプリントアウトされた文書がその幅方向（横送り）でプリンタ１２の排出口１２ａから順次排出され、図１で示す文書真正性保護装置１の文書搬送路３ｃの挿入口部３ａへ順次搬入される。
【００８８】
文書搬送路３ｃは、これら複数枚の文書を複数の搬送ローラ３ｄ，３ｄ，３ｄ，…により横送りでスタックトレイ９とリジェクトトレイ１０まで順次搬送する。その間、まず、文書受入センサ１７により文書の先端が受入口３ａに挿入されているか否かが検出され、その検出信号が制御装置１１のマイクロプロセッサに与えられ、ここで、文書の受入枚数がカウントされる。次に、紙送り異常検出センサ１６により、文書送りの斜行、二重、連鎖、用紙長異常等の異常が検出される。
【００８９】
次に、掩蔽シール貼付位置マーク検出センサ１７により文書の掩蔽シール貼付位置マークを検出し、その検出信号はマイクロプロセッサ１１に与えられ、このマイクロプロセッサ１１のＣＰＵ１１ａは、掩蔽シールを文書の秘匿情報記載部に貼付するタイミングを文書の搬送速度に基づいて算出する。
【００９０】
そして、掩蔽シール貼付装置４により掩蔽シールが文書の秘匿情報記載部上に貼付されて、秘匿情報が隠蔽され、その貼付の有無や位置のずれが掩蔽シール貼付異常検出センサ１８により検出される。
【００９１】
一方、掩蔽シール貼付装置４では、シールニアエンド検出センサによりロール剥離紙のニアエンドマークの検出、すなわち、掩蔽シール切れが検出され、その検出信号が制御装置１１のマイクロプロセッサに与えられる。このマイクロプロセッサは掩蔽シール切れの状態をＬＣＤ３５に表示し、所要のアラームを出力し、運転を停止させる。この後、掩蔽シールを補給することにより、文書真正性保護装置１の運転を再開することができる。
【００９２】
この後、この掩蔽シールの貼付に異常が有るか否かが掩蔽シール貼付異常センサ１８により検出され、その検出信号が制御装置１１に与えられ、ここで、掩蔽シールが文書の所定位置に貼付されているか否かが判断される。異常有りと判断されたときは、この文書が切換ゲート８に搬送される直前のタイミングで切換ゲート８をリジェクトトレイ１０に接続する切換信号を切換ゲート８のソレノイドに与えられる。これにより、掩蔽シール貼付に異常のある文書はリジェクトトレイ１０側に搬入される。このエラー文書の枚数はリジェクトカウントセンサ２３によりカウントされる。また、このとき、制御装置１１によりＬＣＤ３５に、掩蔽シールの貼付異常有り、と表示される。
【００９３】
次に、文書には、その所定位置に、ホログラムがホログラム貼付装置５により貼着される。この後、このホログラムの貼付異常の有無がホログラム貼付異常センサ１９により検出され、異常有りが制御装置１１により判断されると、この文書が切換ゲート８に搬送される直前のタイミングで切換ゲート８をリジェクトトレイ１０側に切り換える切換信号が切換ゲート８のソレノイドに与えられる。これにより、ホログラム貼付に異常のある文書はリジェクトトレイ１０に搬入される。
【００９４】
さらに、この後、文書には、その所定位置に、ＵＶプリンタ６によりＵＶインクの所定マークが印刷される。この後、このＵＶインク印刷異常の有無が検出され、異常有りが制御装置１１により判断されると、この文書が切換ゲート８に搬送される直前のタイミングで切換ゲート８をリジェクト側に切り換える切換信号が切換ゲート８のソレノイドに与えられる。これにより、ホログラムの貼付に異常のある文書はリジェクトトレイ１０に搬入される。
【００９５】
次に、正規文書には、その所定位置に、エンボス加工がエンボス加工装置７により行なわれる。この正規文書の枚数は正規文書カウントセンサ２２によりカウントされる。
【００９６】
なお、ＵＶインク印刷、ホログラム加工の異常が検出されたときは、掩蔽シール異常の検出時と同様、これらの異常が制御装置１１によりＬＣＤ３５に表示される。また、これら異常のある文書はエラー文書としてエラー文書カウントセンサ２３により、その枚数がカウントされ、ＬＣＤ３５に表示される。
【００９７】
したがって、スタックトレイ９には、掩蔽シールとホログラムが所定の位置に貼付され、ＵＶインクが所定位置に印刷され、エンボス加工が所定位置に加工された正常の文書が正規文書として搬入収容される。
【００９８】
また、これら正規文書の枚数は、正規文書カウントセンサ２２によりカウントされ、ＬＣＤ３５に表示される。
【００９９】
したがって、この文書真正性保護装置１によれば、文書の秘匿すべき情報の記載部上に、掩蔽シールを貼付するので、この秘匿情報を秘匿することができ、文書の機密性を向上させることができる。
【０１００】
また、文書には、真正性（原本性）を示すホログラムを貼付し、エンボス加工を施しているので、このホログラムとエンボスの有無により、文書の真正性を簡単かつ迅速に確認することができる。
【０１０１】
そして、これら掩蔽シールまたはホログラムの貼付異常が検出されたときは、エラー文書としてリジェクトトレイ１０へ搬送収容されるので、スタックトレイ９へ搬送収容される正規の文書とは、簡単に区別することができる。
【０１０２】
また、その結果、エラー文書にエラー文書再使用禁止処理装置２１により穿孔列を形成して廃棄し、正規文書のみを使用することができる。このエラー文書は地紋紙等特殊紙ではなく、普通紙であるので、廃棄コストも安い。
【０１０３】
さらに、文書搬送装置３の文書受入口３ａに、コンピュータ１３等よりなる文書作成機のプリンタ１２の文書排出口１２ａを直結しているので、この文書作成機により作成されて文書のプリンタ排出口１２ａから排出された文書を、文書作成側の内部の者を含む第三者の目に晒すことなく、直接、文書真正性保護装置１の文書受入口３ａに直接排出することができる。
【０１０４】
このために、文書のさらなる機密性の向上と改竄防止を共に図ることができる。
【０１０５】
さらに、文書に、ホログラムに代えて、または共に、文書の真正性を示す不可視インクにより印刷するので、この不可視インクによる印刷部は、可視光では目視できないが、例えば無紫外線（ＵＶ）を照射することにより目視することができる。
【０１０６】
したがって、文書にＵＶを照射し、不可視インクによる印刷部を目視することにより、文書の真正性を簡単かつ確実に確認することができる。
【０１０７】
また、文書のエンボス加工部の有無により、文書の真正性を簡単かつ確実に確認することができる。
【０１０８】
さらに、文書の掩蔽シールの貼付異常が検出されると、この文書の搬送路３ｃが切換ゲート８によりリジェクトトレイ１０側へ切り換えられ、エラー文書として、リジェクト文書再使用禁止装置２１により穿孔され、このリジェクトトレイ１０へ収容される。
【０１０９】
このために、掩蔽シールの貼付異常のある文書を真正文書から事前に排除することができる。
【０１１０】
また、文書の不可視インク印刷の異常とホログラム貼付異常の少なくとも一方が検出されると、これら文書の搬送路が切換ゲート８によりリジェクトトレイ１０側へ切り換えられ、エラー文書としてリジェクトトレイ１０へ収容される。
【０１１１】
このために、不可視インク印刷の異常とホログラム貼付異常のある文書を真正文書から事前に区別し、排除することができる。
【０１１２】
さらに、複数文書の部分的な重なりや斜行等、文書の紙送り異常が検出された場合は、掩蔽シールやホログラムの貼付異常、あるいは不可視インク印刷の異常またはエンボス加工の異常等が発生する可能性が高いので、これら文書は、搬送路３ｃがエラー文書収容室側へ切り換えられ、このリジェクトトレイ１０へ収容される。
【０１１３】
そして、これらエラー文書にエラー文書再使用禁止処理装置２１により所要の穿孔を形成して再使用を不能にするので、真正文書から事前に区別し排除することができる。
【０１１４】
また、文書は、文書搬送路３ｃの文書受入口３ａ、文書収容室のスタックトレイ９の入口およびエラー文書収容室のリジェクトトレイ１０の入口にて枚数がカウントセンサ２２，２３によりそれぞれ計数される。このために、文書作成機のＰＣ１３から文書真正性保護装置１により受入された文書の受入枚数、正規文書とエラー文書の各枚数をカウントし、枚数管理を簡単に行うことができる。
【０１１５】
また、この文書真正性保護装置１によれば、真正文書を簡単かつ迅速に作成することができるので、この真正文書を企業や官公庁の紙製の入門証として使用することができる。従来の入門証の一例としては、その長期使用を図るために、年間の入門を許可するものや入門の目的を限定せずに包括的に許可するものがある。また、その長期使用を図るためにプラスチック製のカードとして発行するものがある。
【０１１６】
これに対し、本発明によれば、文書はＰＣ１３により簡単かつ迅速に作成し、文書真正性保護装置１により、その真正性を保証すると共に、改竄を防止できるので、入門の目的や入門許可日または入門期間等入門条件を限定した紙製の入門証を高精度で簡単かつ迅速に作成することができる。また、入門目的や入門日または入門期間等入門条件を限定できるので、セキュリティーを向上させることができる。
【０１１７】
さらに、この入門証が紙製であるので、プラスチック製カードよりもコスト低減を図ることができる。しかも、この入門証はＰＣ等により作成するので、その作成履歴を容易に記録し、保存することができる。
【０１１８】
なお、上記ＵＶプリンタ６により文書に印刷されるマークとしては、文書の種類や記載内容等、この文書に関する情報を、ＱＲコード等の二次元コードにより表示したものでもよい。これによれば、文書の真正性を確認できるうえに、この文書に関する大量の情報をこの二次元コードにより、読み出し、表示することができる。
【０１１９】
さらに、上記実施形態では、文書を、掩蔽シールの貼付、ホログラム貼付、ＵＶインク印刷、エンボス加工の順に順次加工する場合について説明したが、本発明はこれに限定されるものではなく、その加工順は任意でよい。
【図面の簡単な説明】
【０１２０】
【図１】本発明の一実施形態に係る文書真正性保護装置の全体構成図。
【図２】図１で示す文書真正性保護装置の電気的構成を示すブロック図。
【符号の説明】
【０１２１】
１  文書真正性保護装置
２  ケーシング
３  文書搬送装置
３ａ  文書受入口
３ｃ  搬送路
４  掩蔽シール貼付装置
５  ホログラム貼付装置
６  ＵＶプリンタ
７  エンボス加工装置
８  切換ゲート
９  スタックトレイ
１０  リジェクトトレイ
１１  制御装置（マイクロプロセッサ）
１２  プリンタ
１３  ＰＣ（文書作成機）
１５  文書受入センサ
１６  紙送り異常検出センサ
１７  掩蔽シール貼付位置マーク検出センサ
１８  掩蔽シール貼付異常検出センサ
１９  ホログラム貼付異常検出センサ
２０  ＵＶプリント異常検出センサ
２１  エラー文書再使用禁止処理装置
２２  正規文書カウントセンサ
２３  エラー文書カウントセンサ
【図１】
2008260189.tif 000003
【図２】
2008260189.tif 000004
【手続補正書】
【提出日】平成19年4月27日(2007.4.27)
【手続補正１】
【補正対象書類名】特許請求の範囲
【補正対象項目名】全文
【補正方法】変更
【補正の内容】
【特許請求の範囲】
【請求項１】
文書受入口から受入した文書を搬送路により文書収容室へ搬送する文書搬送装置と、
前記文書の搬送途中にて前記文書の秘匿すべき情報の記載部上に掩蔽シールを貼付する掩蔽シール貼付装置と、
この掩蔽シールの貼付異常を検出する掩蔽シール異常検出手段と、
前記文書の搬送途中にて前記文書の所要部位に、文書の真正性を示すホログラムを貼付するホログラム貼付装置と、
このホログラムの貼付異常を検出するホログラム異常検出手段と、
前記搬送路を前記文書収容室からエラー文書収容室へ可逆的に切り換える搬送路切換装置と、
前記掩蔽シール貼付異常検出手段からの異常検出信号と前記ホログラム異常検出視手段からの異常検出信号の少なくとも一方を受けたときに、その異常が検出された文書が前記エラー文書室へ搬入されるように前記搬送路切換装置により前記搬送路を前記エラー文書収容室へ連通させるように制御する制御手段と、
を具備していることを特徴とする文書真正性保護装置。
【請求項２】
前記文書搬送装置は、その文書受入口を、文書作成機のプリンタの文書排出口に直結していることを特徴とする請求項１記載の文書真正性保護装置。
【請求項３】
前記ホログラム貼付装置に代えて、または共に、前記文書に、文書の真正性を示す不可視インクにより印刷する不可視インク印刷装置と、この不可視インクの印刷の異常を検出する不可視インク印刷異常検出手段と、を具備し、
前記制御手段は、前記不可視インク異常検出手段から不可視インク異常検出信号を受けたときに、その異常が検出された文書が前記エラー文書室へ搬入されるように前記搬送路を前記エラー文書収容室へ連通させるように前記搬送路切換装置を制御するように構成されていることを特徴とする請求項１または２記載の文書真正性保護装置。
【請求項４】
前記ホログラム貼付装置に代えて、または共に、前記文書収容室へ搬入される文書に、文書の真正性を示すエンボス加工を施すエンボス加工装置を具備していることを特徴とする請求項１または２記載の文書真正性保護装置。
【請求項５】
前記エラー文書収容室へ搬入される文書に再使用禁止処理を施すエラー文書再使用禁止処理装置を具備していることを特徴とする請求項１〜４のいずれか１項記載の文書真正性保護装置。
【請求項６】
前記搬送路における前記文書の送り異常を検出する紙送り異常検出手段を有し、
前記制御手段は、この紙送り異常検出信号を受けたときに、その異常が検出された文書が前記エラー文書室へ搬入されるように前記搬送路を前記エラー文書収容室へ連通させるように前記搬送路切換装置を制御するように構成されていることを特徴とする請求項１〜５のいずれか１項記載の文書真正性保護装置。
【請求項７】
前記搬送路の文書受入口、文書収容室入口およびエラー文書収容室入口にて文書の枚数をそれぞれ計数するカウントセンサを具備していることを特徴とする請求項１〜６のいずれか１項記載の文書真正性保護装置。
【手続補正２】
【補正対象書類名】明細書
【補正対象項目名】００１３
【補正方法】変更
【補正の内容】
【００１３】
請求項１に係る発明は、文書受入口から受入した文書を搬送路により文書収容室へ搬送する文書搬送装置と、前記文書の搬送途中にて前記文書の秘匿すべき情報の記載部上に掩蔽シールを貼付する掩蔽シール貼付装置と、この掩蔽シールの貼付異常を検出する掩蔽シール異常検出手段と、前記文書の搬送途中にて前記文書の所要部位に、文書の真正性を示すホログラムを貼付するホログラム貼付装置と、このホログラムの貼付異常を検出するホログラム異常検出手段と、前記搬送路を前記文書収容室からエラー文書収容室へ可逆的に切り換える搬送路切換装置と、前記掩蔽シール貼付異常検出手段からの異常検出信号と前記ホログラム異常検出視手段からの異常検出信号の少なくとも一方を受けたときに、その異常が検出された文書が前記エラー文書室へ搬入されるように前記搬送路切換装置により前記搬送路を前記エラー文書収容室へ連通させるように制御する制御手段と、を具備していることを特徴とする文書真正性保護装置である。
【手続補正３】
【補正対象書類名】明細書
【補正対象項目名】００１５
【補正方法】変更
【補正の内容】
【００１５】
請求項３に係る発明は、前記ホログラム貼付装置に代えて、または共に、前記文書に、文書の真正性を示す不可視インクにより印刷する不可視インク印刷装置と、この不可視インクの印刷の異常を検出する不可視インク印刷異常検出手段と、を具備し、前記制御手段は、前記不可視インク異常検出手段から不可視インク異常検出信号を受けたときに、その異常が検出された文書が前記エラー文書室へ搬入されるように前記搬送路を前記エラー文書収容室へ連通させるように前記搬送路切換装置を制御するように構成されていることを特徴とする請求項１または２記載の文書真正性保護装置である。
【手続補正４】
【補正対象書類名】明細書
【補正対象項目名】００１８
【補正方法】変更
【補正の内容】
【００１８】
請求項６に係る発明は、前記搬送路における前記文書の送り異常を検出する紙送り異常検出手段を有し、前記制御手段は、この紙送り異常検出信号を受けたときに、その異常が検出された文書が前記エラー文書室へ搬入されるように前記搬送路を前記エラー文書収容室へ連通させるように前記搬送路切換装置を制御するように構成されていることを特徴とする請求項１〜５のいずれか１項記載の文書真正性保護装置である。